(57)【特許請求の範囲】
【請求項１】
円周上に突設して対称形に配置された複数のコアに，巻線を巻回してなる２輪自動車等の磁石式発電機の固定子であって，
該固定子は，上記巻線の引出し線を外部回路側のリード線に接続する中継接続部材を有し，上記コアには該中継接続部材を固定する係止部材が設けられており，
上記中継接続部材は，上記係止部材によって固定されるステーと，上記リード線の端部を固着する外部端子部及び引出し線の端部を固着する内部端子部を有する端子板と，上記ステー及び端子板を支持する合成樹脂製のハウジングとを有しており，
上記外部端子部は，上記リード線の端部を被覆と共に保持する保持部と，上記リード線から被覆を除いた端末の導体を接続する接続部とを有しており，
上記ハウジングは，上記リード線を外部端子部に接続した後に，該リード線の端部，上記ステー，及び上記端子板と共に一体に成形され，また上記引出し線の端部を係止する係止部を有していることを特徴とする磁石式発電機の固定子。
【請求項２】
請求項１において，上記ハウジングにおけるリード線の導入部には，上記ハウジングよりも弾力性に優れた部材からなるリード線挿通用のグロメットが設けられており，該グロメットは，上記ハウジングと一体成形されていることを特徴とする磁石式発電機の固定子。
【発明の詳細な説明】
【０００１】
【産業上の利用分野】
本発明は，２輪自動車等に用いる磁石式発電機の固定子に関する。
【０００２】
【従来技術】
２輪自動車に用いられる磁石式発電機は，エンジンに装着され耐震性に優れると共に小形化が要求される。
この磁石式発電機（３相）の固定子９は，図８に示すように，複数（３ｎ個）の磁極９０を回転対称形に突設，配置したものである。磁極９０は，鉄板を積層したコア９１の周囲に電機子コイル９２を巻回したものであり，各相（３本）の引出し線９３はリード線９４に接続される。
【０００３】
即ち，３本の引出し線９３は浮動しないように互いに捩り合って磁極９０から立ち上げられ，被覆を除いてリード線９４と半田付けした後スリーブ９５１で保持し，結線部は絶縁チューブ９５２で被われる。なお，同図において，右端の引出し線９３は被覆を除いた断面で図示したものであり，左端の引出し線９３は絶縁チューブ９５２を除いた内部を図示したものである。
【０００４】
一方，リード線９４は３本まとめてチューブ９４０に収容され，クリップ９６を介してコア９１に係止される。
そして，これらの組付作業は，手作業によって行われている。
同図において，符号９６１はクリップ９６を止める止めネジ，符号９７１，９７２は固定子９をエンジンに固定する取付部材と固定ネジ，符号９１１はコア９１の鉄板相互を固定するリベットである。
【０００５】
【解決しようとする課題】
しかしながら，従来の磁石式発電機の固定子には次のような問題点がある。
第１の問題点は，組付の作業性が悪く結線部が不均一となり易いことである。
特に巻線の線径が太くなると手作業による引出し線９３の捩り合わせ及び結線作業は困難となる。
また，手作業であるため仕上がりが不均一となり，リード線９４の長さにばらつきが生じ，またコア９１や取付部材９７１と結線部との間の絶縁強度が不均一となる。
【０００６】
第２の問題点は，省スペース化に対して制約が多いことである。
結線部では，引出し線９３とリード線９４の導体どうしを直接半田付けするため，引出し線９３とリード線９４の結線部を平行に配置する必要があり，また半田付けする結線部は一定以上の長さが必要となり，省スペース化と配置の自由度に制約がある。
【０００７】
第３の問題点は，結線部がクランプなどによって直接固定されていないので，振動が伝わり易くなり，耐震信頼性に若干欠けることである。
本発明は，かかる従来の問題点に鑑み，設置スペース上の制約が少なく，結線の信頼性に優れ，耐震性と作業性が良好な磁石式発電機の固定子を提供しようとするものである。
【０００８】
【課題の解決手段】
本発明は，円周上に突設して対称形に配置された複数のコアに，巻線を巻回してなる２輪自動車の磁石式発電機の固定子であって，
該固定子は，上記巻線の引出し線を外部回路側のリード線に接続する中継接続部材を有し，上記コアには該中継接続部材を固定する係止部材が設けられており，
上記中継接続部材は，上記係止部材によって固定されるステーと，上記リード線の端部を固着する外部端子部及び引出し線の端部を固着する内部端子部を有する端子板と，上記ステー及び端子板を支持する合成樹脂製のハウジングとを有しており，
上記外部端子部は，上記リード線の端部を被覆と共に保持する保持部と，上記リード線から被覆を除いた端末の導体を接続する接続部とを有しており，
上記ハウジングは，上記リード線を外部端子部に接続した後に，該リード線の端部，上記ステー，及び上記端子板と共に一体に成形され，また上記引出し線の端部を係止する係止部を有していることを特徴とする磁石式発電機の固定子にある。
【０００９】
本発明において最も注目すべきことは，引出し線とリード線とを接続する中継接続部材を設け，これを次のように構成したことである。
即ち，中継接続部材は，コアに固定するためのステーと，リード線及び引出し線に接続する端子板と，合成樹脂製のハウジングとを有しており，上記リード線の端部とステーと端子板とハウジングとは一体に成形されている。
そして，上記外部端子部は，リード線の保持部と接続部とを有し，ハウジングは引出し線の端部を係止する係止部を有している。
【００１０】
なお，上記構成に加えて，ハウジングにおけるリード線の導入部に，弾力性に優れた部材からなるリード線挿通用のグロメットを設け，このグロメットを他の部材と共にハウジングと一体成形すると好適である。
かかるグロメットを設けることにより，上記導入部においてリード線にかかる応力を低減することができ，リード線を安定的に保持することができるからである。
【００１１】
【作用及び効果】
本発明にかかる磁石式発電機の固定子には，上記のような中継接続部材が設けられており，これによって以下に述べるような作用効果を奏することができる。
中継接続部材は，コアの係止部に取付けられ，一定の位置に設置される。そして，引出し線とリード線とは中継接続部材の端子板に接続され，従来のように引出し線とリード線が直接接続されることがない。
【００１２】
そのため，引出し線の結線作業とリード線の結線作業は従来に比べて極めて容易であり，結線品質が良好となり，また結線部の位置が一定となる。
即ち，引出し線はハウジングの係止部によって中継接続部材に係止した後に内部端子部に接続することができるから，結線の作業性が良く結線品質が良好となる。
また結線部の位置が一定となり，その絶縁強度も均一となる。そして，引出し線を捩り合せるなどの作業は不要となる。
【００１３】
一方，リード線は，外部端子部の保持部に固定した後，接続部に固着されるから結線の作業性が良好で結線品質が良好となる。
また，結線部の位置が一定し，絶縁強度も均一である。そして，リード線の端部はハウジングと一体に成形されるからハウジングに安定的に保持される。
【００１４】
また，リード線と引出し線の結線部は，コアに固定された中継接続部材に保持されるから浮動するようなことがなく，耐震性に優れている。
そして，リード線は端子板に接続され，従来のように引出し線と接続されるわけではないから，リード線を固定子に入線させる方向の制約は少なくなり，結線部の占有スペースも小さく設置上の制約が少なくなる。
【００１５】
なぜならば，線材どうしを半田等で接続する場合には接合部の長さが線材と端子板との間の接続に比べて長くなり，またリード線の入線方向が制約され，占有スペースが大きくなると共に設置の方向も制限されるからである。
上記のように，本発明によれば，設置スペース上の制約が少なく，結線の信頼性に優れ，耐震性と作業性が良好な磁石式発電機の固定子を提供することができる。
【００１６】
【実施例】
本発明の実施例にかかる磁石式発電機の固定子につき，図１〜図５を用いて説明する。
本例は，図１に示すように，円周上に突設して対称形に配置された複数のコア３１に巻線３２を巻回してなる２輪自動車の磁石式発電機の固定子１である。
固定子１は，巻線３２の引出し線２２を外部回路側のリード線２１に接続する中継接続部材１０を有し，コア３１には中継接続部材１０を固定する係止部材３３が設けられている。
【００１７】
中継接続部材１０は，図２〜図４に示すように，係止部材３３によって固定されるステー１１と，リード線２１の端部を固着する外部端子部１３（図３，図４）及び引出し線２２（図２）の端部を固着する内部端子部１４を有する端子板１２と，ステー１１及び端子板１２を支持する合成樹脂製のハウジング１５とを有する。
【００１８】
外部端子部１３は，リード線２１の端部を被覆と共に保持する保持部１３１と，リード線２１から被覆を除いた端末の導体を接続する接続部１３２とを有している。
また，ハウジング１５は，引出し線２２の端部を係止する係止部１６１（図４）が設けられており，ハウジング１５は，リード線２１を外部端子部１３に接続した後に，リード線２１の端部，ステー１１，及び端子板１２と共に一体に成形される。
【００１９】
そして，図３，図４に示すように，ハウジング１５におけるリード線２１の導入部には，ハウジング１５よりも弾力性に優れた部材からなるリード線挿通用のグロメット１７が設けられており，グロメット１７はハウジング１５と一体に成形されている。
【００２０】
以下それぞれについて説明を補足する。
固定子１の電機子コイルは，コア３１のまわりに巻枠３４を介して巻線３２を巻回したものである。コア３１は，鉄板を積層し，図１，図２に示すように，リベット３５で一体にかしめ固定したものである。
【００２１】
そして，固定子１は，図１に示す取付板３６と止めネジ３６１によって図示しないエンジンケースに固定される。
中継接続部材１０のステー１１は，鉄板を折り曲げた部材であり，ハウジング１５の外側に露出した部分に取付穴が穿設されており，係止部材３３によってコア３１に取付けられる。
【００２２】
端子板１２は，黄銅板などの導電部材によって形成され，図４に示すように，外部端子部１３はリード線２１を被覆の上からかしめて固定する保持部１３１と，芯線をかしめ固定する接続部１３２とを有する。
外部端子部１３はハウジング１５の内部に封入されるが，内部端子部１４はハウジング１５の外部に露出させる。
【００２３】
引出し線２２は，図２，図５に示すように，巻線３２から立上げた後，ハウジング１５の係止部１６１に係止し，内部端子部１４に半田付けされる。
本例の係止部１６１は，図６（ａ）に示すように，引出し線２２の径より若干狭い溝を形成したものであり，この溝に引出し線２２を圧入して固定する。
【００２４】
なお，係止部１６１の代わりに，図６（ｂ）に示す係止部１６２のように溝の入口を狭くして引出し線２２が外れにくくしてもよく，また図６（ｃ）に示すように，係止部１６３の溝幅を漸減させ適度の溝幅の位置に引出し線２２を係止するようにしてもよい。係止部１６３は各種の線径に対応できる利点がある。
あるいは，図６（ｄ）に示すように，係止部１６４を引出し線２２の挿通穴とすることもできる。
【００２５】
一方，本例の内部端子部１４は，図７（ａ）に示すようにＵ字溝付きの形状を有しており，引出し線２２を溝でかぎ形に折り曲げた後に半田で固着する。
なお，上記内部端子部１４の他に，図７（ｂ）に示すように溝の入口を狭くして引出し線２２が外れにくくした内部端子部１４１，図７（ｃ）に示すように更に外側に向けた凸部１４３を設けて引出し線２２を巻きつけるようにした内部端子部１４２，図７（ｄ）に示すように引出し線２２を挿入する丸穴１４５を設けた内部端子部１４４などがある。
【００２６】
なお，本例では，外部端子部１３を外周側に配置し，リード線２１を固定子１の半径方向から入線させるようにしたが，外部端子部をハウジング１５の側部に配置しリード線２１を固定子１の接線方向から入線させるようにしてもよい。
【００２７】
次に中継接続部材１０の組付けの工程について説明する。
始めにリード線２１の端部を外部端子部１３にかしめて接続する。
次にリード線２１をグロメット１７の穴に挿入し，３本のリード線２１を一体化する。次いでグロメット１７，リード線２１，及びステー１１をインサートした状態で，ハウジング１５を合成樹脂で成形する。
【００２８】
その後リード線２１の外部回路側に保護チューブ３８（図１）等を被覆しリード線２１をハーネス化する。
次にリード線２１を接続した中継接続部材１０のステー１１を係止部３３によってコア３１に係止する。その後，引出し線２２を立上げてハウジング１５の係止部１６１に係止した後，内部端子部１４に半田付けする。
【００２９】
次に本例の固定子１の作用効果について説明する。
中継接続部材１０は，係止部材３３によってコア３１に固定されており，リード線２１と引出し線２２とは中継接続部材１０の端子板１２に接続され固定される。
従って，リード線２１と引出し線２２の結線部は従来の固定子のように浮動することがなく，耐震性が向上し，またコア３１（及び取付部材３６）との絶縁距離が一定となり，絶縁不良等が生じにくくなる。
【００３０】
また，リード線２１と引出し線２２とは共に端子板１２に接続され，従来のようにリード線と引出し線とを直接接続することがないから，結線の信頼度が高くなりまた接続作業が容易である。
そして，リード線２１の端部，端子板１２，及びステー１１は，ハウジング１５と一体に成形されるから，中継接続部材１０の全体の大きさはコンパクトにすることができる。
【００３１】
また，リード線２１と引出し線２２とを直接接続しないから，外部端子部１３の位置を変えることによって固定子１に対してリード線２１を入線する方向も制約がなくなり，固定子の配置の自由度が大きく，占有スペースも小さくなる。
上記のように，本発明によれば，設置スペース上の制約が少なく結線の信頼性に優れ，かつ耐震性と作業性が良好な磁石式発電機の固定子を提供することができる。
【図面の簡単な説明】
【図１】実施例にかかる固定子の平面図。
【図２】実施例にかかる固定子の正面図（部分断面図）。
【図３】図２の中継接続部材近傍の拡大断面図。
【図４】図１の中継接続部材近傍の拡大断面図。
【図５】図３のＡ−Ａ矢視線断面図。
【図６】実施例の引出し線の係止部の各種形状。
【図７】実施例の内部端子部の各種形状。
【図８】従来の磁石式発電機の固定子の平面図。
【符号の説明】
１．．．固定子，
１０．．．中継接続部材，
１１．．．ステー，
１４．．．内部端子部，
１５．．．ハウジング，
２１．．．リード線，
２２．．．引出し線，
３１．．．コア，
【図１】
0003550755.tif 000002
【図２】
0003550755.tif 000003
【図３】
0003550755.tif 000004
【図４】
0003550755.tif 000005
【図５】
0003550755.tif 000006
【図６】
0003550755.tif 000007
【図７】
0003550755.tif 000008
【図８】
0003550755.tif 000009